(57)【要約】加熱調理器は、被加熱物が収納される加熱庫と、加熱庫に収納された被加熱物を加熱する加熱部と、加熱部の加熱を制御する加熱制御部（１４）と、加熱庫内を撮影する撮影部と、撮影部が撮影した画像から特定の目印を検出する目印検出部（２８）とを有する。加熱制御部（１４）は、目印検出部（２８）の検出結果により、加熱部による加熱の禁止または許可を行う。
2017175591.tif 000002
【特許請求の範囲】
【請求項１】
被加熱物が収納される加熱庫と、
前記加熱庫に収納された前記被加熱物を加熱する加熱部と、
前記加熱部の加熱を制御する加熱制御部と、
前記加熱庫内を撮影する撮影部と、
前記撮影部が撮影した画像から特定の目印を検出する目印検出部とを有し、
前記加熱制御部は、前記目印検出部の検出結果により、前記加熱部による加熱を禁止または許可する
加熱調理器。
【請求項２】
前記被加熱物に付与された加熱制御情報を読み取る読取部をさらに有し、
前記目印検出部が、第１の目印を検出した場合には、前記読取部は、前記撮影部が撮影した画像から前記第１の目印と所定の位置関係にある加熱制御情報を読み取り、前記加熱制御部は、前記読取部が読み取った前記加熱制御情報に基づき前記加熱部を制御し、
前記目印検出部が、前記第１の目印を検出しない場合には、前記読取部は、加熱制御情報の読み取りを行わない、
請求項１に記載の加熱調理器。
【請求項３】
報知を行う報知部をさらに有し、
前記目印検出部が、第２の目印を検出しない場合には、前記加熱制御部は、前記加熱部による加熱を許可し、
前記目印検出部が、前記第２の目印を検出した場合には、前記報知部が報知する、
請求項１または２に記載の加熱調理器。
【発明の詳細な説明】
【技術分野】
【０００１】
本開示は、食品を加熱する加熱調理器に関する。
【背景技術】
【０００２】
代表的な加熱調理器である電子レンジは、鍋およびフライパンを使うことなく、容器に入れたままの状態で食品を加熱することができる利便性を有している。弁当または惣菜などを容器に入れて販売する販売店において、購入された食品を、店員が電子レンジを使って加熱して提供するサービスが行われることもある。【０００３】
このような加熱のサービスについて説明する。一般に、弁当または惣菜の容器には、電子レンジで加熱するのに最適な加熱時間が表示されている。販売店の店員は、その表示を見て、電子レンジで加熱時間を設定し、食品を加熱する。電子レンジの操作部には、数字キーなどが設けられており、店員は、電子レンジの加熱時間（分、秒）を手動で設定する。【０００４】
電子レンジが複数の操作ボタンを備えており、それぞれの操作ボタンに、別々の加熱時間が割り当てられている場合もある。この場合、販売店の店員は、加熱する食品に対応したボタンを選択することにより、食品に適した加熱制御で食品などを加熱して、客に食品を提供することができる。【０００５】
前者の構成において、加熱時間（分、秒）を数字キーで設定する場合、操作回数が多く、煩わしい操作になる可能性がある。後者の構成、つまり、複数の操作ボタンそれぞれに、別々の加熱時間を割り当てる場合には、食品の種類が増えると、ボタンと加熱時間との対応関係を覚えることが難しくなる可能性がある。【０００６】
これらの煩わしさおよび間違いなどを解消するために、次のような方法も提案されている。すなわち、電子レンジにおいて、商品毎に加熱制御内容が予め記憶され、販売店の店員が、バーコードリーダを使って商品に添付されているバーコードの情報（コード情報）を読み取る。そして、電子レンジにおいて、そのコード情報から商品に対応した加熱制御内容が呼び出され、適切な加熱が行われる、という方法である。【０００７】
バーコードリーダを使うのでなく、次のような方法も提案されている。すなわち、電子レンジが庫内を撮影するカメラを備えており、庫内に投入された商品を撮影した画像からバーコード部分を抽出し、そのバーコードを読み取る。読み取られたコード情報から商品に対応した加熱制御内容が呼び出され、適切な加熱が行われる、という方法である。コード情報から商品に対応した加熱制御情報を呼び出すのではなく、加熱制御情報が直接コード情報として商品に添付されていれば、電子レンジが商品ごとの加熱制御情報を予め記憶しておく必要もない。【０００８】
このような方法によれば、店員の操作の負担が低減され、誤りのない加熱サービスを行うことが可能となる（例えば特許文献１を参照）。
【先行技術文献】
【特許文献】
【０００９】
【特許文献１】特開２００１−３４９５４６号公報
【発明の概要】
【００１０】
本開示は、試験などを行った確かな加熱制御情報を持つ商品だけを加熱することを許可することを目的とする。また、本開示は、電子レンジで加熱するには不適切な物を加熱することを防止することを目的とする。
【００１１】
本開示の加熱調理器は、被加熱物が収納される加熱庫と、加熱庫に収納された被加熱物を加熱する加熱部と、加熱部の加熱を制御する加熱制御部と、加熱庫内を撮影する撮影部と、撮影部が撮影した画像から特定の目印を検出する目印検出部とを有する。加熱制御部は、目印検出部の検出結果により、加熱部による加熱を禁止または許可する。
【００１２】
この構成により、撮影部が被加熱物の収納された加熱庫内を撮影し、目印検出部が、撮影部の撮影した画像から特定の目印を検出し、加熱部の加熱を制御する加熱制御部が目印検出部の検出結果により、加熱の禁止または許可を行う。これにより、試験などを行った確かな商品だけに特定の加熱許可の目印を付けたり、電子レンジでの加熱に不適切な物に加熱禁止の目印を付けることで、確かな商品だけを加熱することを許可し、電子レンジで加熱するには不適切な物を商品から外すことを忘れて加熱することを防止できる。
【００１３】
本開示によれば、試験などを行った確かな商品だけに特定の加熱許可の目印を付けることで、確かな商品だけを加熱することを許可できる。また、電子レンジでの加熱に不適切な物に加熱禁止の目印を付けることで、電子レンジで加熱するには不適切な物を加熱することを防止できる。
【図面の簡単な説明】
【００１４】
【図１】図１は、本開示の実施の形態１に係る加熱調理器の一例である電子レンジの外観斜視図である。
【図２】図２は、本開示の実施の形態１に係る電子レンジの概略構成図である。
【図３】図３は、本開示の実施の形態１に係る電子レンジで加熱する商品に付与された第１のシールを示す図である。
【図４】図４は、本開示の実施の形態１に係る電子レンジで加熱される物品に貼られる、第２の目印が印刷された第２のシールを示す図である。
【図５】図５は、本開示の実施の形態１に係る電子レンジの動作の流れを示すフローチャートである。
【発明を実施するための形態】
【００１５】
本開示の実施の形態の説明に先立ち、従来の電子レンジにおける問題点を簡単に説明する。
【００１６】
商品に添付されているバーコードを読み取って商品を特定し、その商品の加熱制御内容を呼び出すためには、商品と加熱時間の対応関係を予め電子レンジに登録する必要がある。しかし、販売店で扱われている、電子レンジでの加熱対象となる弁当または惣菜などの商品の品数は、非常に多い。また、それらの商品は、日替わり、週替わりで新しい商品が出ることによって、新しい商品と入れ替わることもある。このため、常に新しい商品と加熱時間との対応関係を登録する必要がある。
【００１７】
一方、加熱制御情報が直接コード情報として商品に添付されている場合には、どのような商品であっても、そのコード情報を読み取って、その商品を加熱してしまうという問題がある。つまり、販売店が自社の商品として、開発および試験をして、加熱制御情報に責任を持つことができる商品ばかりでなく、他社の商品など、加熱制御情報に責任を持てない商品でも加熱してしまうという問題がある。
【００１８】
さらに、弁当または惣菜などの商品には、袋入りの調味料が添付されている場合がある。このような調味料は、電子レンジで加熱する際には、商品から取り外して、商品を加熱することが推奨されている。しかし、電子レンジの操作の一部が自動化されると、調味料のような、電子レンジで加熱するには不適切な物を、商品から取り外すことを忘れて、商品と一緒に加熱してしまう可能性が高くなるという問題がある。
【００１９】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００２０】
なお、添付図面および以下の説明は、当業者が本開示を十分に理解するために、提供されるのであって、これらにより請求の範囲に記載の主題を限定することは意図されていない。
【００２１】
（実施の形態１）
図１は、本開示の実施の形態１に係る加熱調理器の一例である電子レンジ１の外観斜視図である。図１に示すように、電子レンジ１には、食品を格納するための筐体２に、食品を出し入れするためのドア３が設けられている。ドア３には、外部から筐体２内部を見えるようにするための透明のガラス窓４と、ドア３を開閉するときに掴む取っ手５と、操作表示部６とが設けられている。
【００２２】
操作表示部６は、液晶表示器７、時間設定ボタン群８、加熱開始ボタン９、取消ボタン１０、および、一時停止ボタン１１を備えている。電子レンジ１は、後述するように加熱対象（被加熱物）である商品を撮影部により撮影して、商品に表示されている加熱時間を読み取る。電子レンジ１は、読み取った加熱時間で商品を加熱する。
【００２３】
液晶表示器７には、読み取った加熱時間が表示されたり、お知らせの文字が表示されたりする。加熱時間を読み取れなかった場合、または、加熱時間の表示されていない商品を加熱する場合のために、電子レンジ１には、時間設定ボタン群８が設けられている。使用者は、数字ボタン、「分」、および、「秒」のボタンを使って、加熱時間を設定することができる。この場合、液晶表示器７には、設定された加熱時間が表示される。
【００２４】
加熱開始ボタン９は、使用者が液晶表示器７に表示された加熱時間を確認した後、加熱を開始するときに使用者が押すボタンである。取消ボタン１０は、使用者が加熱開始ボタン９を押して加熱を開始した後に、加熱途中で加熱を停止させる場合に押されたり、液晶表示器７に表示されている加熱時間の設定を取り消す場合に押されたりするボタンである。一時停止ボタン１１は、加熱途中で加熱を使用者が一時的に停止させる場合に、押されるボタンである。加熱を一時停止した場合に、使用者が再度加熱開始ボタン９を押すことで、途中から残りの加熱を行うことができる。
【００２５】
液晶表示器７は、実施の形態１に係る電子レンジ１の報知部でもある。
【００２６】
図２は、本開示の実施の形態１に係る電子レンジ１の概略構成図である。電子レンジ１は、高周波によって、食品などの加熱が可能である。電子レンジ１は、食品などの被加熱物を収納する加熱庫１２内に、高周波を出力する加熱部であるマグネトロン１３を備えている。マグネトロン１３により、高周波を加熱庫１２に供給して、被加熱物を加熱する。マグネトロン１３は、加熱制御部１４により制御される。
【００２７】
電子レンジ１は、照明１５と、撮影部であるカメラ１６を備えている。カメラ１６は、加熱庫１２内を撮影する。カメラ１６は、照明１５と同じ側面に配置されているので、逆光になることなく、加熱庫１２内を撮影することができる。筐体２には、ドア３の開閉検知のためのドアスイッチ１７が設けられている。ドア３には、ドアスイッチ１７を押し込むための突起部１８が設けられている。
【００２８】
加熱庫１２には、弁当、おにぎり、惣菜などの商品（被加熱物）が入れられる。それら商品の各々には、商品の加熱制御情報としての、加熱パワーと加熱時間が表示された貼付物である、図３に示すような第１のシール１９が貼付されている。
【００２９】
図３は、本開示の実施の形態１に係る電子レンジ１で加熱する商品に付与された第１のシール１９を示す図である。第１のシール１９には、商品名２０、加熱制御情報２１、金額情報２２、消費期限情報２３、商品を特定するコード記号の一例であるバーコード２４、栄養情報２５、および、お知らせ情報２６などが表示されている。第１のシール１９には、第１の目印２７が表示されている。第１の目印２７が表示されていれば、その商品は販売店の自社商品であることを意味している。または、第１の目印２７が表示されていれば、第１のシール１９の加熱制御情報２１は、試験などで確認された責任を持てる情報であり、加熱制御情報２１の通り加熱すれば、適切な加熱ができることを意味している。
【００３０】
第１の目印２７と加熱制御情報２１は、予め定められた位置関係で第１のシール１９に印刷されている。第１の目印２７としては、星型などの特定の図形、メーカーの商号、メーカーの標章、販売店の商号、販売店の標章、または、それらを組み合わせて図案化したもの（例えば、ロゴ）などを用いることができる。
【００３１】
第１のシール１９に表示されている加熱制御情報２１は、一般的な家庭用の電子レンジで加熱する時の目安として、例えば５００Ｗの加熱パワーで加熱する場合の加熱時間と、業務用の電子レンジで大きい加熱パワーで短時間加熱する時の目安として、例えば１５００Ｗの加熱パワーで加熱する場合の加熱時間とが表示されている。具体的には、例えば、「５００Ｗ２分００秒  １５００Ｗ０分４０秒」と表示されている。
【００３２】
より具体的には、加熱制御情報２１は、所定の加熱パワーの加熱量を表す数字である第１文字列、例えば「５００」と、その加熱パワーの単位を表す第２文字列、例えば「Ｗ」と、その加熱パワーでの加熱時間である数字である第３文字列、例えば「２」と、その加熱時間の単位を表す第４文字列、例えば「分」と、その加熱パワーでの加熱時間を示す数字である第５文字列、例えば「００」と、その加熱時間の単位を表す第６文字列、例えば「秒」とを順に含む文字列である。また、加熱制御情報２１は、前述した所定の加熱パワーよりも大きい加熱パワーの加熱量を表す数字である第７文字列、例えば「１５００」と、その加熱パワーの単位を表す第８文字列、例えば「Ｗ」と、その加熱パワーでの加熱時間である数字である第９文字列、例えば「０」と、その加熱時間の単位を表す第１０文字列、例えば「分」と、その加熱パワーでの加熱時間を示す数字である第１１文字列、例えば「４０」と、その加熱時間の単位を表す第１２文字列、例えば「秒」とを順に含む文字列である。
【００３３】
本実施の形態では、第２文字列、および、第８文字列として、熱量を表すＳＩ単位（Ｉｎｔｅｒｎａｔｉｏｎａｌ  Ｓｙｓｔｅｍ  ｏｆ  Ｕｎｉｔｓ）である「Ｗ（ワット）」を用いたが、加熱パワーの単位を表すものであれば、他の文字または単位でもよい。第４文字列、第６文字列、第１０文字列、および、第１２文字列として、時間の単位を表す文字として「分」および「秒」を用いたが、時間の単位を表すものであれば、他の文字または単位でもよい。
【００３４】
図２に戻って、説明を続ける。目印検出部２８は、カメラ１６が撮影した画像から特定の目印を検出する。目印検出部２８は、第１の目印２７を検出する第１目印検出部２９と、後述する第２の目印３１を検出する第２目印検出部３０とを備えている。
【００３５】
第１目印検出部２９は、図３に示す第１の目印２７を検出する。第１目印検出部２９が、第１の目印２７を検出すると、加熱制御部１４は、マグネトロン１３による加熱を許可する。
【００３６】
図４は、本開示の実施の形態１に係る電子レンジ１で加熱される物品に貼られる、第２の目印３１が印刷された第２のシール３２を示す図である。第２のシール３２は、弁当または惣菜などの商品に添付されていて、電子レンジ１での加熱が不適切な物品に、貼られるシールである。このような物品は、例えば、袋入りのソースやマヨネーズなどの調味料である。
【００３７】
第２の目印３１は、第１の目印２７とは異なる図形である。第２の目印３１が表示されていれば、その物品は電子レンジ１での加熱が不適切であることを意味している。第２の目印３１としては、×印などの特定の図形、物品のメーカーの商号、物品のメーカーの標章、または、それらを組み合わせて図案化したもの（例えば、ロゴ）などを用いることができる。
【００３８】
第２目印検出部３０は、図４に示す第２の目印３１を検出する。第２目印検出部３０が、第２の目印３１を検出すると、加熱制御部１４は、マグネトロン１３による加熱を禁止する。液晶表示器７は、加熱に不適切な物品が加熱庫１２内にあることを消費者に注意喚起するメッセージを表示する。注意喚起するメッセージとしては、例えば、「加熱できない物が入っています。」、または、「調味料を商品から取り外してください。」などである。
【００３９】
読取部３３は、カメラ１６によって撮影した画像から、商品に付与された加熱制御情報が表示されている個所を抽出し、加熱制御情報の文字（少なくとも数字を含む）を読み取る。
【００４０】
まず、第１目印検出部２９が、カメラ１６によって撮影された画像から、第１の目印２７を検出する。次に、読取部３３は、第１の目印２７から所定の相対位置関係にある英数字を「５００Ｗ２００１５００Ｗ０４０」という文字列として読み取る。ここで、読取部３３は、「分」、「秒」といった時間の単位を表す文字は読み取らない、または、読み取ったとしても解析には用いない。
【００４１】
そして、読取部３３は、予め定めた解析ルールに従い、文字列を、「Ｗ」の前までの数字列、「Ｗ」の後の３桁の数字列、その数字列に続く「Ｗ」の前までの数字列、および、「Ｗ」の後の３桁の数字列、の４つに分解して「５００」、「２００」、「１５００」、「０４０」を読み取る。読取部３３は、４つの数字列のうち、２番目の数字列と４番目の数字列のそれぞれについて、最初の１桁が「分」であり、後の２桁が「秒」であるとして解析する。読取部３３は、１番目の数字列が加熱パワーであり、２番目の数字列の時間と対応しているとして解析する。読取部３３は、３番目の数字列が加熱パワーであり、４番目の数字列の時間と対応しているとして解析する。この結果、読取部３３は、「５００Ｗで２分」、「１５００Ｗで４０秒」という加熱制御情報を読み取る。
【００４２】
再び図２に戻って説明を続ける。使用者は、ドア３を開けて、商品を加熱庫１２に入れる。ドアスイッチ１７によりドアが開けられたことを検出すると、第１目印検出部２９は、カメラ１６により撮影した加熱庫１２内部の画像から、第１の目印２７を検出する。次に、読取部３３は第１の目印２７から所定の相対位置関係にある加熱制御情報２１を読み取る。
【００４３】
読取部３３は、読み取った加熱制御情報２１を操作表示部６と加熱制御部１４に送る。操作表示部６は、液晶表示器７に、受け取った加熱制御情報２１を表示する。ここで、加熱制御情報２１には、加熱パワーと加熱パワーに応じた加熱時間の２種類の組み合わせが含まれている。読取部３３は、電子レンジ１の加熱できる範囲で、大きい方の加熱パワーで加熱するものとして、その加熱パワーとそれに応じた加熱時間とを、操作表示部６と加熱制御部１４に送る。
【００４４】
使用者は、液晶表示器７に適切な加熱時間が表示されたことを確認すると、ドア３を閉じ、加熱開始ボタン９を押す。加熱制御部１４は、ドアスイッチ１７からドア３が閉じられていることを示す信号を受け、かつ、操作表示部６から加熱開始ボタン９が押されたことを示す信号を受けると、読取部３３から受け取った加熱制御情報２１の加熱パワーと加熱時間とで、商品を加熱するようマグネトロン１３を加熱制御する。
【００４５】
図２において、加熱制御部１４、読取部３３、目印検出部２８、第１目印検出部２９および第２目印検出部３０は、ＣＰＵ、不揮発性メモリ、揮発性メモリ等を備えたマイクロコンピュータ（図示せず）で構成される。
【００４６】
次に、本実施の形態の電子レンジ１の動作について説明する。
【００４７】
図５は、本開示の実施の形態１に係る電子レンジ１の動作の流れを示すフローチャートである。
【００４８】
まず、ステップＳ１では、目印検出部２８または読取部３３は、ドアスイッチ１７の状態によって、ドア３が開いているか否かを判定する。ドア３が開いていれば（ステップＳ１でＹＥＳ）、ステップＳ２に進む。一方、ドア３が閉じられていれば（ステップＳ１でＮＯ）、目印検出部２８は、ステップＳ１を繰り返してドア３が開くのを待つ。
【００４９】
ステップＳ２では、目印検出部２８または読取部３３は、カメラ１６により加熱庫１２底面を撮影する。その後、ステップＳ３に進む。
【００５０】
ステップＳ３では、目印検出部２８の第２目印検出部３０が、画像の中から第２の目印３１を探す。第２の目印３１が見つかると（ステップＳ３でＹＥＳ）、ステップＳ４に進む。一方、第２の目印３１が見つからなければ（ステップＳ３でＮＯ）、ステップＳ５に進む。
【００５１】
ステップＳ４では、第２目印検出部３０は、液晶表示器７に、例えば「加熱できない物が入っています。」などの注意喚起するメッセージを表示する。加熱制御部１４は、マグネトロン１３による加熱をせずに、処理を終了する。
【００５２】
ステップＳ５では、目印検出部２８の第１目印検出部２９が、画像の中から第１の目印２７を探す。第１の目印２７が見つかると（ステップＳ５でＹＥＳ）、ステップＳ６に進む。一方、第１の目印２７が見つからなければ（ステップＳ５でＮＯ）、ステップＳ１１に進む。
【００５３】
ステップＳ６において、読取部３３は、第１の目印２７から所定の相対位置にある英数字を読み取る。図３に示すシールの例であれば、読取部３３は、第１の目印２７の右横下方に配置された「５００Ｗ２００１５００Ｗ０４０」の文字列を読み取る。読取部３３は、予め定められた解析ルールにより、その文字列を「５００Ｗで２分」、「１５００Ｗで４０秒」という二組の加熱制御情報であると解析する。例えば、電子レンジ１において１５００Ｗでの加熱が可能であれば、読取部３３は、大きい方の加熱パワーである１５００Ｗを選択する。つまり、「１５００Ｗで４０秒」の加熱をすることと決定し、ステップＳ７に進む。
【００５４】
ステップＳ７において、読取部３３は、上述の解析を行った加熱制御情報である「１５００Ｗで４０秒」を、加熱制御部１４に送る。操作表示部６の液晶表示器７に「４０秒」が表示される。
【００５５】
ステップＳ８では、加熱制御部１４が、使用者により取消ボタン１０が押されたかどうかを判定する。取消ボタン１０が押されていなければ（ステップＳ８でＮＯ）、ステップＳ９に進む。取消ボタン１０が押された場合（ステップＳ８でＹＥＳ）には、ステップＳ１２に進む。
【００５６】
この処理は、使用者が、液晶表示器７に表示された加熱時間を確認して、表示された加熱時間が間違っていると判断した場合、または、別の加熱時間で加熱したいと思った場合に、使用者によって取消ボタン１０が押されたことを検知して、液晶表示器７に表示された加熱時間以外の加熱時間で加熱するための処理である。
【００５７】
ステップＳ９では、加熱制御部１４は、ドアスイッチ１７によりドア３が閉じられている状態であると判定され、かつ、加熱開始ボタン９が押されたかどうかを判定し、加熱開始ボタン９が押されれば（ステップＳ９でＹＥＳ）、ステップＳ１０に進んで加熱を開始する。一方、加熱開始ボタン９が押されていなければ、または、ドアが閉じられている状態でなければ（ステップＳ９でＮＯ）、ステップＳ８に戻り、取消ボタン１０が押されたかどうかの判定処理が繰り返される。
【００５８】
ステップＳ５で第１の目印２７が見つからない場合（ステップＳ５でＮＯ）、ステップＳ１１に進む。ステップＳ１１では、目印検出部２８または読取部３３は、ドアスイッチ１７によりドア３が閉じられた状態かどうかを判定する。ドア３が閉じられた状態であれば（ステップＳ１１でＹＥＳ）、ステップＳ１２に進む。一方、ドア３が閉じられた状態でなければ（ステップＳ１１でＮＯ）、ステップＳ２に戻り、カメラ１６による撮影の処理が繰り返される。
【００５９】
通常、使用者がドア３を開けてから、商品を加熱庫１２内に入れて静止させるまでの間には、ステップＳ１１からステップＳ２に戻り、ステップ１１へ進むループが繰り返される。
【００６０】
ステップＳ８で取消ボタン１０が押された場合（ステップＳ８でＹＥＳ）、および、ステップＳ１１でドア３が閉じられた状態の場合（ステップＳ１１でＹＥＳ）には、ステップＳ１２に進む。ステップＳ１２では、使用者が手動で設定した加熱時間を、加熱制御部１４が受け取る。この処理は、第１の目印２７が表示されていない商品を加熱する場合、または、汚れなどで第１の目印２７を第１目印検出部２９が読み取ることができない場合などに、使用者が時間設定ボタン群８を使って、加熱時間を手動で設定できるようにする処理である。
【００６１】
ステップＳ１３では、加熱制御部１４は、加熱開始ボタン９が押されたかどうかを判定し、押されれば（ステップＳ１３でＹＥＳ）、ステップＳ１０に進んで加熱を開始する。一方、加熱開始ボタン９が押されていなければ（ステップＳ１３でＮＯ）、ステップＳ１２に戻り、加熱制御部１４が、使用者の手動設定操作を受け付ける処理が繰り返される。
【００６２】
以上のように、本実施の形態によれば、第１目印検出部２９が第１の目印２７を検出した場合には、読取部３３が第１の目印２７から所定の位置関係にある加熱制御情報を読み取る。したがって、容易に加熱制御情報を見つけ出し、読み取ることができる。販売店の自社以外の商品などの、第１の目印２７が付与されていない商品の場合には、読取部３３は加熱制御情報を読み取らず、自動で加熱することはない。
【００６３】
また、袋入りの調味料など電子レンジ１での加熱が不適切な物品に、第２の目印３１を付与しておく。このため、使用者が第２の目印３１を外すことを忘れて、加熱庫１２内に入れると、第２目印検出部３０が第２の目印３１を検出して、加熱を行わない。また、液晶表示器７に注意喚起の表示をする。このため、電子レンジ１での加熱が不適切な物品を、商品から外すことを忘れたまま、商品を加熱することはない。
【００６４】
本実施の形態では、第１のシール１９に、加熱パワーと加熱時間の組合せが２つ記載されている場合についても説明したが、加熱パワーとその加熱パワーに対応した加熱時間の組合せが、１つ以上記載されていればよい。
【００６５】
第１の目印２７として、メーカーのロゴなどを例示して説明したが、本開示はこの例に限定されない。メーカーのロゴなどに代えて、第１の目印２７を、加熱制御情報２１を囲む枠、または、加熱制御情報２１の下に配置された線（下線）としてもよい。第１の目印２７を、枠、または、線とした場合には、加熱制御情報２１により近づけて、配置できるので、加熱制御情報２１との所定の位置関係がわかり易くなる。
【００６６】
第１の目印２７は、第１のシール１９に印刷されているものとして説明したが、商品または商品の包装に直接、表示されていてもよい。同様に、第２の目印３１は、第２のシール３２に印刷されているものとして説明したが、商品に添付された物品または物品の包装に直接、表示されていてもよい。また、第２のシール３２は、物品を商品に添付するための粘着テープであってもよい。
【００６７】
読取部３３は、文字で表示した加熱制御情報を読み取る、として説明したが、本開示はこの例に限定されない。読取部３３は、バーコードなど符号化された情報を読みとっても良い。
【００６８】
報知部として、液晶表示器７を用い、第２目印検出部３０が第２の目印３１を見つけられない場合には、液晶表示器７に注意喚起のメッセージを表示するとしたが、本開示はこの例に限定されない。例えば、報知部として、ＬＥＤなどの発光部を設け、発光部を点滅したりしてもよい。報知部として、ブザーまたはスピーカなどの音出力部を設け、音出力部から音を鳴らしたりしても良いし、注意メッセージを音声で報知しても良い。
【００６９】
以上のように、本実施の形態の電子レンジ１に相当する加熱調理器は、被加熱物が収納される加熱庫１２と、加熱庫１２に収納された被加熱物を加熱するマグネトロン１３に相当する加熱部と、加熱部の加熱を制御する加熱制御部１４と、加熱庫１２内を撮影するカメラ１６に相当する撮影部と、撮影部が撮影した画像から特定の目印を検出する目印検出部２８とを有する。加熱制御部１４は、目印検出部２８の検出結果により、加熱部による加熱を禁止または許可する。
【００７０】
これによれば、撮影部が被加熱物の収納された加熱庫内を撮影し、目印検出部２８が、撮影部の撮影した画像から特定の目印を検出し、加熱部を制御する加熱制御部１４が目印検出部２８の検出結果により、加熱の禁止または許可を行う。これにより、試験などを行った確かな商品だけに特定の加熱許可の目印を付けたり、電子レンジによる加熱に不適切な物に加熱禁止の目印を付けておけば、確かな商品だけを加熱することを許可したり、電子レンジ１での加熱に不適切な物を加熱することを防止できる。
【００７１】
また、電子レンジ１に相当する加熱調理器は、被加熱物に付与された加熱制御情報２１を読み取る読取部３３をさらに有してもよい。目印検出部２８が、第１の目印２７を検出した場合には、読取部３３は、撮影部が撮影した画像から第１の目印２７と所定の位置関係にある加熱制御情報２１を読み取り、加熱制御部１４は、読取部３３が読み取った加熱制御情報２１に基づき加熱部を制御する。目印検出部２８が、第１の目印２７を検出しない場合には、読取部は、加熱制御情報２１の読み取りを行わない。
【００７２】
これによれば、読取部３３が第１の目印２７から所定の位置関係にある加熱制御情報２１を認識し、加熱制御部１４が加熱制御情報２１に基づいて加熱部を制御するので、第１の目印２７と加熱制御情報２１の位置関係を予め定めておけば、容易に加熱制御情報を見つけ出し読み取ることができる。また、試験などを行った、販売店の自社商品にのみ第１の目印２７を付けておくことで、販売店の自社以外の商品など、確かな商品かどうかよくわからない商品の加熱制御情報を読み取ることはない。
【００７３】
また、電子レンジ１に相当する加熱調理器は、報知を行う液晶表示器７に相当する報知部をさらに有してもよい。目印検出部２８が、第２の目印３２を検出しない場合には、加熱制御部１４は、加熱部による加熱を許可し、目印検出部２８が、第２の目印３２を検出した場合には、報知部が報知する。
【００７４】
これによれば、袋入りの調味料など、電子レンジ１での加熱が不適切な物に第２の目印３１を付けておくことで、使用者が袋入りの調味料などを商品から外すことを忘れて、加熱庫１２内に入れても、目印検出部２８がそれを検出して、報知部が注意喚起するので、外すことを忘れたまま加熱することはない。
【産業上の利用可能性】
【００７５】
以上のように、本開示によれば、撮影部が食品の収納された加熱庫内を撮影し、目印検出部が、撮影部の撮影した画像から特定の目印を検出する。加熱部を制御する加熱制御部は、目印検出部の検出結果により、加熱部による加熱を禁止する、または、許可する。これによって、加熱許可の目印を付与された、試験などを行った確かな商品だけを加熱することを許可できる。または、加熱禁止の目印を付与された、電子レンジでの加熱が不適切な物を、誤って加熱することを防止できる。このため、食品などの販売店で使われる業務用の電子レンジ、その他の炊飯器、または、ＩＨ（Ｉｎｄｕｃｔｉｏｎ  ａｎｄ  Ｈｅａｔｉｎｇ）クッキングヒータなど、調理器全般に適用できる。
【符号の説明】
【００７６】
１    電子レンジ
２    筐体
３    ドア
４    ガラス窓
５    取っ手
６    操作表示部
７    液晶表示器
８    時間設定ボタン群
９    加熱開始ボタン
１０    取消ボタン
１１    一時停止ボタン
１２    加熱庫
１３    マグネトロン
１４    加熱制御部
１５    照明
１６    カメラ
１７    ドアスイッチ
１８    突起部
１９    第１のシール
２０    商品名
２１    加熱制御情報
２２    金額情報
２３    消費期限情報
２４    バーコード
２５    栄養情報
２６    お知らせ情報
２７    第１の目印
２８    目印検出部
２９    第１目印検出部
３０    第２目印検出部
３１    第２の目印
３２    第２のシール
３３    読取部
【図１】
2017175591.tif 000003
【図２】
2017175591.tif 000004
【図３】
2017175591.tif 000005
【図４】
2017175591.tif 000006
【図５】
2017175591.tif 000007
【国際調査報告】
2017175591.tif 000008
2017175591.tif 000009
2017175591.tif 000010
2017175591.tif 000011